(57)【要約】【課題】本発明は、ファンフィルターユニットに関するもので、簡素化した構造にてプレフィルターを取り付ける構成とすることで非常にスペースの少ない場所に設置できるファンフィルターユニットを提供することを目的とする。【解決手段】フィルター固定ガイド１２の構造においてＬ字型の断面を形成する天面１３と側面１４にて構成され、側面１４の底部には天面１３とは逆方向に突出する複数のツメ１５を有する。また、側面１４の両端から直交して固定される短辺部１６および短辺部１６の底部には第２のツメ１７を設けた構成とする。本構成によれば、プレフィルター１１の厚みと側面１４の高さを同等にすることができるため、製品の厚み方向の寸法を必要最小限に抑えたファンフィルターユニットであり、非常にスペースの少ない場所に設置できるファンフィルターユニットとしてきわめて有用なものである。【選択図】図５
2014066428.tif 000002
【特許請求の範囲】
【請求項１】
空気を送風するファンと駆動モータとで構成されるファンモータと、前記ファンモータを固定するファンモータ支持部と、前記ファンモータを収納し、空気吸込口と供給口を備えたチャンバーと、このチャンバーの供給口側に備えた空気を清浄化するフィルターとで構成されるファンフィルターユニットにおいて、
前記空気吸込口には、吸い込む空気の大きな埃などを捕集するプレフィルターを備え、
前記空気吸込口は、四角形の開口で、その対向する辺（以降、固定辺）に前記プレフィルターを保持するフィルター固定ガイドを備え、
このフィルター固定ガイドは、断面Ｌ字型となるように天面と側面とで構成され、
さらに、底部には、天面と逆方向に突出する複数のツメを設け、
前記空気吸込口の前記固定辺には、複数の切欠を設け、
この切欠に、前記ツメを引掛けて、
前記ツメで前記チャンバー内面側から、前記フィルター固定ガイドの側面で前記チャンバー外側から挟んで固定するファンフィルターユニット。
【請求項２】
空気を送風するファンと駆動モータとで構成されるファンモータと、前記ファンモータを固定するファンモータ支持部と、前記ファンモータを収納し、空気吸込口と供給口を備えたチャンバーと、このチャンバーの供給口側に備えた空気を清浄化するフィルターとで構成されるファンフィルターユニットにおいて、
前記空気吸込口には、吸い込む空気の大きな埃などを捕集するプレフィルターを備え、
前記空気吸込口は、四角形の開口で、その対向する辺（以降、固定辺）に前記プレフィルターを保持するフィルター固定ガイドを備え、
このフィルター固定ガイドは、断面Ｌ字型となるように天面と側面とで構成され、
さらに、底部には、天面と逆方向に突出する複数のツメを設け、
前記空気吸込口には、格子状の桟を設け、
この桟の間に前記ツメを引掛けて、
前記ツメで前記チャンバー内面側から、前記フィルター固定ガイドの側面で前記チャンバー外側から挟んで固定するファンフィルターユニット。
【請求項３】
前記フィルター固定ガイドの側面に直交して固定される短辺部を設け、
前記フィルター固定ガイドのツメで前記チャンバーの内面側から、前記フィルター固定ガイドの側面で前記チャンバー外側から挟んで固定した後、
前記短辺部は、前記チャンバーの吸込口面に固定される請求項１または２記載のファンフィルターユニット。
【請求項４】
前記短辺部は、前記フィルター固定ガイドの側面端部を折り曲げて形成した請求項３記載のファンフィルターユニット。
【請求項５】
前記短辺部の底部には、前記チャンバー吸込口の前記固定辺と直交する辺に引掛ける第２のツメを設けた請求項３または４記載のファンフィルターユニット。
【発明の詳細な説明】
【技術分野】
【０００１】
本発明は、主に薄型テレビ等に使用されるフラットパネルディスプレイ等を製造する工場のクリーンルーム内に設置されるパネルの製造装置や搬送装置、パネルを一時保管する保管庫（クリーンストッカー）等に設置される大型のファンフィルターユニットに関する。
【背景技術】
【０００２】
従来この種のファンフィルターユニットは、非常に細かい埃などを捕集することを目的とするため、大きな埃などはフィルターの寿命を引き伸ばすためにもファンの吸込口にプレフィルターを設けてあらかじめ捕集する必要がある（これに類似する先行文献としては例えば特許文献１）
【先行技術文献】
【特許文献】
【０００３】
【特許文献１】特開２０１２−１６７８７４号公報
【発明の概要】
【発明が解決しようとする課題】
【０００４】
近年フラットパネルの大型化に伴い、パネルを製造する製造装置、パネルを搬送する搬送装置、パネルを保管する保管庫（クリーンストッカー）は大型化の傾向にある。一方、ファンフィルターユニットは保管庫（クリーンストッカー）等の非常にスペースの少ない場所に設置される。そのため、ファンフィルターユニットの空気吸込口付近にそれら構成部品などの障害物が存在すると、ファンの吸込に対する圧力損失が増加し、十分な送風性能が発揮できず製品の性能低下を招く。また、機器そのものの設置が困難になるという恐れがある。一方で、ファンフィルターユニットの空気吸込口にプレフィルターを設けずに使用した場合、細かい埃などを捕集するフィルターが早期に目詰まりをおこし、これもまた製品の性能低下を招く恐れがある。
【０００５】
そこで、本発明は、ファンフィルターユニットの空気吸込口において簡素化した構造にてプレフィルターを取り付ける構成とすることで非常にスペースの少ない場所に設置できるファンフィルターユニットを提供することを目的とするものである。
【課題を解決するための手段】
【０００６】
この目的を達成するために、本発明のファンフィルターユニットは、
空気を送風するファンと駆動モータとで構成されるファンモータと、前記ファンモータを固定するファンモータ支持部と、前記ファンモータを収納し、空気吸込口と供給口を備えたチャンバーと、このチャンバーの供給口側に備えた空気を清浄化するフィルターとで構成されるファンフィルターユニットにおいて、
前記空気吸込口には、吸い込む空気の大きな埃などを捕集するプレフィルターを備え、
前記空気吸込口は、四角形の開口で、その対向する辺（以降、固定辺）に前記プレフィルターを保持するフィルター固定ガイドを備え、
このフィルター固定ガイドは、断面Ｌ字型となるように天面と側面とで構成され、
さらに、底部には、天面と逆方向に突出する複数のツメを設け、
前記空気吸込口の前記固定辺には、複数の切欠を設け、
この切欠に、前記ツメを引掛けて、
前記ツメで前記チャンバー内面側から、前記フィルター固定ガイドの側面で前記チャンバー外側から挟んで固定するものであって、これにより初期の目的を達成するものである。
【発明の効果】
【０００７】
以上のように本発明によるファンフィルターユニットは、空気吸込口には、吸い込む空気の大きな埃などを捕集するプレフィルターを備え、空気吸込口は、四角形の開口で、その対向する辺（固定辺）に前記プレフィルターを保持するフィルター固定ガイドを備え、このフィルター固定ガイドは、断面Ｌ字型となるように天面と側面とで構成され、
らに、底部には、天面と逆方向に突出する複数のツメを設け、前記空気吸込口の前記固定辺には、複数の切欠を設け、この切欠に、前記ツメを引掛けて、前記ツメで前記チャンバー内面側から、前記フィルター固定ガイドの側面で前記チャンバー外側から挟んで固定するものであるので、フィルター固定ガイド自身でチャンバー天面の表裏から挟み込むことになる。すなわち、ファンフィルターユニットの空気吸込口において簡素化した構造にてプレフィルターを取り付ける構成とすることで非常にスペースの少ない場所に設置できるファンフィルターユニットを提供することを目的とするものである。
【図面の簡単な説明】
【０００８】
【図１】本発明の一実施の形態１のファンフィルターユニットの斜視分解図
【図２】本発明の一実施の形態を示すファンモータユニットの斜視図
【図３】同ファンモータユニットのＡ−Ａ側断面図
【図４】本発明の一実施の形態１を示すフィルター固定ガイドの斜視図
【図５】本発明の一実施の形態１を示すフィルター固定ガイド、チャンバーの組付図
【図６】本発明の一実施の形態２を示すフィルター固定ガイド、チャンバーの組付図
【発明を実施するための形態】
【０００９】
以下、本発明の実施の形態について図面を参照しながら説明する。
【００１０】
（実施の形態１）
図１に示すように、本実施の形態のファンフィルターユニット５０は、上面に空気吸込口８を開口したチャンバー７内に、ファンモータユニット６を備え、下面側（吹出し側）にフィルター１０を備えたものである。チャンバー７は４つの側面、空気吸込口８を有する上面、および上面と向かいあう下面の供給口９にて構成される。さらに、供給口９にフィルター１０が取り付けられる。空気吸込口８は、四角形の開口であって、プレフィルター１１が装着されることになる。また、プレフィルター１１は、空気吸込口８の四角形の開口の対向する辺に設けたフィルター固定ガイド１２で固定することになる。
【００１１】
図２、図３に示すのは、ファン１とモータ２とを有しているファンモータユニット６である。ファン１は、モータ２の回転軸に取り付けられてファンモータ３を構成している。そして、ファンモータ３は支持具４に支えられてオリフィス５に取り付けられている。
【００１２】
図４ではフィルター固定ガイド１２の構成を説明する。フィルター固定ガイド１２はＬ字型の断面を形成する天面１３と側面１４にて構成され、側面１４の底部には天面１３とは逆方向に突出する複数のツメ１５を有する。また、側面１４の両端から直交して固定される短辺部１６および短辺部１６の底部には第２のツメ１７を設けた構成とする。本構成によれば、必要なプレフィルター１１の厚みにあわせて側面１４の高さを調整することが可能となる。フィルター固定ガイド１２が極端にプレフィルター１１より製品の厚み方向へ大きくなることがないため、製品の厚み方向の寸法を必要最小限に抑えたファンフィルターユニットの提供が可能となる。
【００１３】
図５ではフィルター固定ガイド１２の取り付けについて説明する。
【００１４】
チャンバー７の上面に設けられた空気吸込口８は、ほぼ四角形の開口である。フィルター固定ガイド１２は、この四角形の開口の対向する辺（固定辺１９）に取り付けられることになる。そして、固定辺１９には、複数の切欠１８が設けられている。固定辺１９と直交する辺の固定辺１９側にも、切欠１８が設けられている。
【００１５】
具体的に、フィルター固定ガイド１２の取付方法について説明する。まず、空気吸込口８の固定辺１９に設けられた複数の切欠１８にフィルター固定ガイド１２のツメ１５を引っ掛ける。次に、２つの短辺部１６の底部にある第２のツメ１７を固定辺１９と直交する２辺に設けた切欠１８に引っ掛ける。これにより、同時にフィルター固定ガイド１２の側面１４とツメ１５、および短辺部１６と第２のツメ１７でチャンバー７を挟み込んだ状態となる。従って、ねじなどの固定具を使用することなく、フィルター固定ガイド１２をチャンバー７に完全に固定することが可能となる。チャンバー７の内面側にはファンモータユニット６などの構成部品が配置されており、チャンバー７の内面側にねじ先端などの突起物がある場合はこれらの構成部品と干渉するため、ねじなどの固定具を使用せずにフィルター固定ガイド１２をチャンバー７へ固定することは非常に有効な手段である。
【００１６】
また、フィルター固定ガイド１２の側面１４とツメ１５がチャンバー７を挟み込むことにより、チャンバー７のたわみを矯正し、かつ平面を補強する役割を果たすことも可能となる。一方、切欠１８は固定辺１９より外側に設けられるため、フィルター固定ガイド１２が空気吸込口８の開口を塞ぐことなくチャンバー７に取り付けられることになる。さらに、プレフィルター１１を空気吸込口８全体にわたって設置することができるため、ファン吸込に対する圧力損失の増加を防ぐことが可能となる。
【００１７】
また、フィルター固定ガイド１２は、短辺部１６を側面１４の両端より折り曲げることにより構成されている。すなわち、１つの部品でフィルター固定ガイド１２を形成し、チャンバー７の上面に固定辺１９方向とそれに直交する方向に固定することになる。従って、部品点数を削減し、簡単な構成で取り付けられるものである。また、短辺部１６を弾力性を有する樹脂や金属の材料を用いることによって、短辺部１６を互いに対向する短辺部１６側へ倒して押さえながら取り付けることが出来る。すなわち、まず固定辺１９の切欠１８へ側面１４のツメ１５を引っ掛け、その後、短辺部１６を互いに対向する短辺部１６側へ倒して押さえて、第２のツメ１７をチャンバー７の内側へ入れ込む。そして、材料の弾力を用いて短辺部１６を元の形状に戻しながら固定辺１９と直交する２辺の切欠１８へ短辺部１６の第２のツメ１７を引っ掛ける。このように、取り付けの作業性向上を図ることができる。
【００１８】
（実施の形態２）
図６では実施の形態１で述べた空気吸込口８の別の形態について説明する。
【００１９】
通常、ファンへの不意な接触を防止するためにファンフィルターユニットの空気吸込口８には接触防止用の網などが設けられる。その網の代わりに空気吸込口８にチャンバー７と一体となった格子状の桟２０を設け、その桟２０の間に第２のツメ１７を引っ掛けることにより、実施の形態１で述べたフィルター固定ガイド１２の構成を維持しつつ、ファンへの不意な接触を防止する構成とすることが可能となる。
【産業上の利用可能性】
【００２０】
本発明は、上記のように、ファンフィルターユニット、とくに薄型のファンフィルターユニット、あるいは、大型の天板を有したファンフィルターユニットに有用である。さらに、本発明の技術は、大きな板に吸込口を開口した空気調和装置などに有用である。
【符号の説明】
【００２１】
１  ファン
２  モータ
３  ファンモータ
４  支持具
５  オリフィス
６  ファンモータユニット
７  チャンバー
８  空気吸込口
９  供給口
１０  フィルター
１１  プレフィルター
１２  フィルター固定ガイド
１３  天面
１４  側面
１５  ツメ
１６  短辺部
１７  第２のツメ
１８  切欠
１９  固定辺
２０  桟
【図１】
2014066428.tif 000003
【図２】
2014066428.tif 000004
【図３】
2014066428.tif 000005
【図４】
2014066428.tif 000006
【図５】
2014066428.tif 000007
【図６】
2014066428.tif 000008